(57)【要約】【課題】排熱源として厨房の冷凍庫などの凝縮器の排熱を利用し、水熱源ヒートポンプによる部屋の暖房時、その排熱をヒートポンプの蒸発器に使用する熱媒水に効率よく回収して、暖房時のヒートポンプの蒸発器の熱源を省略可能とした空調設備。【解決手段】空調設備は、部屋空調用の水熱源ヒートポンプ１の蒸発器と冷却塔２を熱媒水が循環する閉回路の配管系３で接続した空調系統Ａと、厨房の水冷式の冷却器７（冷凍庫４、冷蔵庫５、年間を通して冷房運転される空調用の水熱源ヒートポンプ６）の凝縮器と冷却塔８を熱媒水が循環する閉回路の配管系９で接続した厨房系統Ｂを備える。両配管系の冷却塔の上流側に、ヒートポンプ１の蒸発器および冷却機器７の凝縮器を出た熱媒水を混合し、混合した熱媒水を両配管系に分流するヘッダ１０を介設し、ヘッダの下流側に、分流した熱媒水を冷却塔を迂回、還流するバイパス路１１、１２を設け、さらに還流量を調節する開閉弁１３、１４等を設けた。【選択図】        図１
2006084084.tif 000002
【特許請求の範囲】
【請求項１】
部屋の空調用の水熱源ヒートポンプの排熱側熱交換器と冷却塔とを、熱媒水が循環する閉回路の配管系で接続した空調系統と、
厨房の水冷式の冷凍庫、冷蔵庫、および年間を通して冷房運転される空調用の水熱源ヒートポンプを含む冷却機器のうちの少なくとも1つの冷却機器の排熱側熱交換器と前記冷却塔または別の冷却塔とを、熱媒水が循環する閉回路の配管系で接続した厨房系統とを備え、
前記両配管系の冷却塔の上流側に、前記部屋の空調用のヒートポンプの排熱側熱交換器および前記厨房の冷却機器の排熱側熱交換器を出た熱媒水を混合し、混合した熱媒水を前記両配管系に分流するヘッダを介設し、前記ヘッダの下流側に、前記分流した熱媒水を前記冷却塔を迂回させて還流するバイパス路を設け、さらに前記熱媒水の還流量を調節する開閉弁を設けたことを特徴とする空調設備。
【請求項２】
請求項１の空調設備の運転方法であって、
前記部屋の空調用のヒートポンプによる暖房時、前記空調配管系に分流した熱媒水の全量を前記バイパス路を経由して、前記部屋の空調用のヒートポンプの排熱側熱交換器に戻し、
前記厨房配管系に分流した熱媒水は、その温度が所定温度より低いときは、全量を前記バイパス路を経由して、高いときは一部を前記冷却塔を経由し、残りをバイパス路を経由して、前記厨房の冷却機器の排熱側熱交換器に戻し、
前記部屋の空調用のヒートポンプによる冷房時、前記空調配管系および厨房配管系に分流したそれぞれの熱媒水の全量を前記冷却塔を経由して、前記部屋の空調用のヒートポンプの排熱側熱交換器および前記厨房の冷却機器の排熱側熱交換器に戻すように運転することを特徴とする空調設備の運転方法。
【請求項３】
部屋の空調用の水熱源ヒートポンプの排熱側熱交換器と冷却塔とを、熱媒水が循環する閉回路の配管系で接続した空調系統と、
厨房の空冷式の冷凍庫、冷蔵庫、および年間を通して冷房運転される空調用の空冷式のヒートポンプを含む厨房の冷却機器のうちの少なくとも1つの冷却機器の排熱側熱交換器の冷却空気の出口に、熱媒水が循環するジャケットをヒートパイプの一端に嵌装したヒートパイプ熱交換器を設置して、前記ヒートパイプ熱交換器のジャケットおよび前記冷却塔を、熱媒水が循環する閉回路の配管系で接続した厨房系統とを備え、
前記冷却塔の上流側に、前記部屋の空調用のヒートポンプの排熱側熱交換器を出た熱媒水および前記厨房の冷却機器の排熱側熱交換器の冷却空気出口のヒートパイプ熱交換器を出た熱媒水を混合し、混合した熱媒水を前記両配管系に分流するヘッダを介設し、前記ヘッダの下流側に、前記分流した熱媒水を前記冷却塔を迂回させて還流するバイパス路を設け、さらに前記熱媒水の還流量を調節する開閉弁を設けたことを特徴とする空調設備。
【請求項４】
請求項３の空調設備の運転方法であって、
前記部屋の空調用のヒートポンプによる暖房時、前記空調配管系に分流した熱媒水の全量を前記バイパス路を経由して、前記部屋の空調用のヒートポンプの排熱側熱交換器に戻し、
前記厨房配管系に分流した熱媒水は、前記ジャケット内を循環させ、
前記部屋の空調用のヒートポンプによる冷房時、前記厨房配管系の熱媒水の循環を停止し、前記空調配管系の熱媒水のみを循環して、前記空調配管系の熱媒水の全量を前記冷却塔を経由して、前記部屋の空調用のヒートポンプの排熱側熱交換器に戻すように運転することを特徴とする空調設備の運転方法。
【発明の詳細な説明】
【技術分野】
【０００１】
本発明は、部屋の空調用の水熱源ヒートポンプによる暖房時に厨房の冷却設備の排熱を利用することによって、暖房時のヒートポンプの熱源を省略することを可能とした空調設備、およびその運転方法に関する。
【背景技術】
【０００２】
水熱源ヒートポンプを使用した空調設備が知られているが、この空調システムでは、冬季などの暖房時期に、ヒートポンプの蒸発器（冷房運転時に凝縮器として機能した排熱側熱交換器が、暖房運転時に蒸発器として機能する）に入る熱媒水（熱源水）の温度が適温より低くいと、排熱側熱交換器に蒸発器としての所定の吸熱性能を維持させることができなくなるので、蒸発器に入る熱媒水を加熱するための加熱ボイラが必要となる。
【０００３】
上記の加熱ボイラの省略を図った技術として、年間を通して冷房運転される電算室空調用のヒートポンプの排熱（凝縮器から出た熱媒水の温熱）を、暖房時の事務室空調用のヒートポンプの蒸発器に入る熱媒水に熱交換器を介した熱交換によって回収して、暖房時の事務室空調用のヒートポンプの蒸発器の熱源に利用するものが提案されている（例えば特許文献１を参照）。
【特許文献１】特公昭６０−５９４８９号公報
【発明の開示】
【発明が解決しようとする課題】
【０００４】
しかしながら、上記特許文献の方法は、暖房時、排熱源側である電算機室空調用のヒートポンプの凝縮器を出た温度の高い熱媒水の温熱を、排熱利用側である事務室空調用のヒートポンプの蒸発器に入る熱媒水に熱交換するために水対水熱交換器を要し、その設備コストがかかる上、隔壁を介した熱交換であるため熱交換効率の低下があって、暖房時の排熱利用側のヒートポンプの蒸発器の加熱源を完全に省略することはできず、同公報にも記載されるように、排熱利用側のヒートポンプの蒸発器の補助熱源を要する問題があった。
【０００５】
本発明の課題は、排熱源として厨房の冷凍庫などの冷却機器の凝縮器（排熱側熱交換器）の排熱を利用し、水熱源ヒートポンプによる部屋の暖房時、その排熱をヒートポンプの蒸発器（排熱側熱交換器）に使用する熱媒水に水対水熱交換器を用いずに効率よく回収して、暖房時のヒートポンプの蒸発器の熱源を省略可能とした空調設備、およびその運転方法を提供することである。
【課題を解決するための手段】
【０００６】
上記課題は本発明の空調設備およびその運転方法によって達成される。要約すれば、本発明の請求項１は空調設備であって、部屋の空調用の水熱源ヒートポンプの排熱側熱交換器と冷却塔とを、熱媒水が循環する閉回路の配管系で接続した空調系統と、厨房の水冷式の冷凍庫、冷蔵庫、および年間を通して冷房運転される空調用の水熱源ヒートポンプを含む冷却機器のうちの少なくとも1つの冷却機器の排熱側熱交換器と前記冷却塔または別の冷却塔とを、熱媒水が循環する閉回路の配管系で接続した厨房系統とを備え、前記両配管系の冷却塔の上流側に、前記部屋の空調用のヒートポンプの排熱側熱交換器および前記厨房の冷却機器の排熱側熱交換器を出た熱媒水を混合し、混合した熱媒水を前記両配管系に分流するヘッダを介設し、前記ヘッダの下流側に、前記分流した熱媒水を前記冷却塔を迂回させて還流するバイパス路を設け、さらに前記熱媒水の還流量を調節する開閉弁を設けたことを特徴とする。
【０００７】
本発明の請求項２は、請求項１の空調設備の運転方法であって、前記部屋の空調用のヒートポンプによる暖房時、前記空調配管系に分流した熱媒水の全量を前記バイパス路を経由して、前記部屋の空調用のヒートポンプの排熱側熱交換器に戻し、前記厨房配管系に分流した熱媒水は、その温度が所定温度より低いときは、全量を前記バイパス路を経由して、高いときは一部を前記冷却塔を経由し、残りをバイパス路を経由して、前記厨房の冷却機器の排熱側熱交換器に戻し、前記部屋の空調用のヒートポンプによる冷房時、前記空調配管系および厨房配管系に分流したそれぞれの熱媒水の全量を前記冷却塔を経由して、前記部屋の空調用のヒートポンプの排熱側熱交換器および前記厨房の冷却機器の排熱側熱交換器に戻すように運転することを特徴とする。
【０００８】
本発明の請求項３は空調設備であって、部屋の空調用の水熱源ヒートポンプの排熱側熱交換器と冷却塔とを、熱媒水が循環する閉回路の配管系で接続した空調系統と、厨房の空冷式の冷凍庫、冷蔵庫、および年間を通して冷房運転される空調用の空冷式のヒートポンプを含む厨房の冷却機器のうちの少なくとも1つの冷却機器の排熱側熱交換器の冷却空気の出口に、熱媒水が循環するジャケットをヒートパイプの一端に嵌装したヒートパイプ熱交換器を設置して、前記ヒートパイプ熱交換器のジャケットおよび前記冷却塔を、熱媒水が循環する閉回路の配管系で接続した厨房系統とを備え、前記冷却塔の上流側に、前記部屋の空調用のヒートポンプの排熱側熱交換器を出た熱媒水および前記厨房の冷却機器の排熱側熱交換器の冷却空気出口のヒートパイプ熱交換器を出た熱媒水を混合し、混合した熱媒水を前記両配管系に分流するヘッダを介設し、前記ヘッダの下流側に、前記分流した熱媒水を前記冷却塔を迂回させて還流するバイパス路を設け、さらに前記熱媒水の還流量を調節する開閉弁を設けたことを特徴とする。
【０００９】
本発明の請求項４は、請求項３の空調設備の運転方法であって、前記部屋の空調用のヒートポンプによる暖房時、前記空調配管系に分流した熱媒水の全量を前記バイパス路を経由して、前記部屋の空調用のヒートポンプの排熱側熱交換器に戻し、前記厨房配管系に分流した熱媒水は、前記ジャケット内を循環させ、前記部屋の空調用のヒートポンプによる冷房時、前記厨房配管系の熱媒水の循環を停止し、前記空調配管系の熱媒水のみを循環して、前記空調配管系の熱媒水の全量を前記冷却塔を経由して、前記部屋の空調用のヒートポンプの排熱側熱交換器に戻すように運転することを特徴とする。
【発明の効果】
【００１０】
本発明によれば、水熱源ヒートポンプによる部屋の暖房時、ヒートポンプの蒸発器（排熱側熱交換器）から出た熱媒水と、厨房の冷凍庫等の水冷式の冷却機器の凝縮器（排熱側熱交換器）から出た熱媒水または空冷式の冷却機器の凝縮器（排熱側熱交換器）に設置したヒートパイプ熱交換器から出た熱媒水とを混合して、混合後の熱媒水を分流してヒートポンプの蒸発器に戻すので、冷却機器の凝縮器の排熱をヒートポンプの蒸発器に使用する熱媒水に効率よく回収して、暖房時のヒートポンプの蒸発器の加熱に使用することができ、ヒートポンプの蒸発器に対し補助熱源を初めとする熱源を省略することができる。また水対水熱交換器を使用しないので、排熱回収のための設備も安価になる。
【発明を実施するための最良の形態】
【００１１】
以下、本発明の実施例を図面を参照して説明する。図１は、本発明の空調設備の一実施例を示す空調システム図である。本実施例の空調設備は、事務所や廊下、店舗等の一般の部屋についての空調系統Ａと、この部屋に付属した部屋外の厨房についての厨房系統Ｂとからなっている。
【００１２】
空調系統Ａは、部屋の空調に使用する水熱源ヒートポンプ１と、冷却塔２とを備え、基本的に、このヒートポンプ１の蒸発器（暖房時、排熱側熱交換器が蒸発器として機能する）と冷却塔２とを閉回路の配管系（空調配管系）３で接続してなっている（クローズド配管方式）。本実施例では、水熱源ヒートポンプ１はパッケージエアコンで、各部屋に対し１台〜数台設置し、図では２台のみを示している。空調配管系３のヒートポンプ１から冷却塔２へ至る熱媒水（熱媒水には水道水等の普通水を使用する）の往路３ａは、ヒートポンプ１の蒸発器の出口から合流して接続し、配管系３の冷却塔２からヒートポンプ１へ至る熱媒水の復路３ｂは、各ヒートポンプ１の蒸発器の入口に分岐して接続する。ヒートポンプ１は部屋の冷房、暖房に使用され、冷房時、ヒートポンプ１の凝縮器（冷房時、排熱側熱交換器が凝縮器として機能する）から温度の高い熱媒水が排出され、暖房時、蒸発器から温度の低い熱媒水が排出される。
【００１３】
空調配管系３で水熱源ヒートポンプ１と接続された冷却塔２は、建物の屋上に設置される。本実施例では、冷却塔２には、熱媒水がヒートポンプ１の蒸発器に直接接触する関係で密閉式のものを採用している。
【００１４】
厨房には、冷凍庫４および冷蔵庫５が設置されており、これらは凝縮器の冷却に水を用いる水冷式とされている。また厨房は、水熱源ヒートポンプ６によって空調されるようになっており、ヒートポンプ６による厨房の空調は、年間を通して冷房とされている。厨房系統Ｂは、冷凍庫４、冷蔵庫５および水熱源ヒートポンプ６、つまり厨房の冷却機器７のうちの少なくとも1つ、本実施例では、冷凍庫４、冷蔵庫５およびヒートポンプ６の全ての凝縮器（凝縮器として機能する排熱側熱交換器）と、冷却塔８とを、閉回路の配管系（厨房配管系）９で接続して構成されている（クローズド配管方式）。前記配管系９の冷却機器７（冷凍庫４、冷蔵庫５、水熱源ヒートポンプ６）から冷却塔８へ至る熱媒水の往路９ａは、冷却機器の凝縮器の出口から合流して接続し、配管系９の冷却塔８から冷却機器７へ至る熱媒水の復路９ｂは、冷却機器７の凝縮器の入口に分岐して接続する。冷却機器７の凝縮器からは、年間を通して温度の高い熱媒水が排出される。
【００１５】
厨房配管系９によって冷却機器７と接続された冷却塔８は、建物の屋上に設置され、冷却機器２のときと同様、熱媒水が冷却機器７の凝縮器に直接接触するので、密閉式のものを採用している。なお、冷却塔２も冷却塔８も、水フィルタなどの清水対策が取られれば、開放式の冷却塔でも構わない。この場合には、完全なクローズド配管ではないが、冷却塔以外には、熱媒水は外気に露出することがない。冷却塔２と冷却塔８とは、別々に設けずに片方を設けて、共用するようにしてもよい。
【００１６】
空調配管系３の復路３ｂのヒートポンプ１に接続する分岐路、厨房配管系９の復路９ｂの冷却機器７に接続する分岐路には、配管系３、９の熱媒水をヒートポンプ１の排熱側熱交換器（冷房運転時に蒸発器）、冷却機器７の排熱側熱交換器（常時、凝縮器）から往路３ａ、９ａに流出し、復路３ｂ、９ｂを通ってヒートポンプ１の蒸発器、冷却機器７の凝縮器に戻すために、空調配管系３の循環ポンプＰ１、厨房配管系９の循環ポンプＰ２が介設されている。この復路３ｂ、９ｂの分岐路の一つには、それぞれ循環ポンプＰ１、Ｐの上流側に熱媒水の補給タンク１９、２０が接続される。
【００１７】
本発明によれば、空調、厨房の配管系３、９の往路３ａ、９ａにヘッダ（混合管）１０を介設しており、空調系統Ａのヒートポンプ１の蒸発器を出た熱媒水と、厨房系統Ｂの冷却機器７（冷凍庫４、冷蔵庫５、ヒートポンプ６）の凝縮器を出た熱媒水とを、配管系３、９の往路３ａ、９ａからヘッダ１０に流入させて混合し、混合した熱媒水をヘッダ１０からその下流で往路３ａ、９ａに分流して流出できるようになっている。
【００１８】
これによって、ヒートポンプ１による部屋の暖房時、ヒートポンプ１の蒸発器を出た温度の低い熱媒水と、冷却機器７の凝縮器を出た温度の高い熱媒水とを混合して、冷却機器７の凝縮器からの熱媒水の温熱、つまり冷却機器７の凝縮器の排熱を混合後の熱媒水に効率よく回収して、混合後の熱媒水をヒートポンプ１の蒸発器の加熱に使用するのに十分な温度に温度上昇した熱媒水として、ヒートポンプ１の蒸発器に供給することができる。したがって、暖房時のヒートポンプ１の蒸発器の加熱源を省略することができ、また冷却機器７の凝縮器からの排熱の回収に水対水熱交換器を使用しないので、排熱回収のための設備費も安価にすることができる。
【００１９】
本発明によれば、さらに、両配管系３、９のヘッダ１０の下流側に、往路３ａ、９ａと復路３ｂ、９ｂとを繋いだバイパス路１１、１２を設置して、ヘッダ１０で混合して往路３ａ、９ａに分流した熱媒水を冷却塔２、８を経由して冷却させずに、バイパス路１１、１２を通って復路３ｂ、９ｂに還流できるようにしてある。この熱媒水の還流量を制御するために、バイパス通路１１、１２にはバイパス弁（開閉弁）１３、１４が介設され、また配管系３、９の往路３ａ、９ａには、バイパス通路１１、１２との合流点より下流側に流量調整弁（開閉弁）１５、１６が介設されている。なお、これらのバイパス弁１３と流量調整弁１５、バイパス弁１４と流量調整弁１６は、三方弁を往路３ａ、９ａとバイパス通路１１、１２の合流点、または復路３ｂ、９ｂとバイパス路１１、１２の合流点に設ければ、三方弁各１つで代用することができる。
【００２０】
また配管系３、９には、混合後の熱媒水の温度を測定するために、復路３ｂ、９ｂのバイパス路１１、１２の合流点より下流側に温度センサ１７、１８が設置されている。温度センサ１７、１８は、往路３ａ、９ａのバイパス路１１、１２との合流点より上流側に設置してもよいが、本実施例では、クローズド配管方式を採用している関係で、運転停止時にも復路３ｂ、９ｂの配管に水が張られていて、復路１１ｂ、１２ｂで測定した方が温度のふらつきがないので、上記のように復路に設置した。これにより、空調配管系３、厨房配管系９は、それぞれ混合後の水温に応じて冷却塔を迂回する還流手段を備えることになる。
【００２１】
なお、配管系３、９のヘッダ１０の下流側直近には、往路３ａ、９ａに開閉弁２１、２２が介設されており、空調設備のメンテナンスのためなど必要に応じて、開閉弁２１、２２によって往路３ａ、９ａを閉鎖可能にしてある。
【００２２】
本空調設備の運転方法について説明する。まず、空調系統Ａが暖房モードのときについて述べる。本実施例では、空調系統Ａの水熱源ヒートポンプ１を暖房に用いるとき、ヒートポンプ１の蒸発器から出る熱媒水の出口温度は２４℃に設定され、厨房系統Ｂの冷却機器（冷凍庫４、冷蔵庫５、水熱源ヒートポンプ６）の凝縮器から出る熱媒水の出口温度は、年間を通じて３２℃に設定されている。ヘッダ１０で混合された後の熱媒水の温度は、暖房の程度（外気温や部屋の使用状況などによって変動する）によって変わるが、例えば２７℃になり、空調系統Ａのヒートポンプ１の蒸発器の加熱に使用できる。
【００２３】
そこで、ヒートポンプ１による部屋の暖房時、空調配管系３の流量制御弁１５を閉じ、バイパス弁１３を半開ないし全開にして、ヘッダ１０を経た往路３ａの混合後の空調系統の熱媒水の半分の量ないし全量をバイパス路１１を通って復路３ｂに循環し（冷却塔２は休止）、ヒートポンプ１の蒸発器に戻して、蒸発器を加熱させる。そのヒートポンプ１の蒸発器に戻す流量は、排熱側熱交換器が蒸発器として稼動するのに足る程度の量とし、バイパス弁１３の開度調節によって適量に制御する。
【００２４】
一方、厨房系統Ｂではつぎのようにする。厨房系統Ｂの冷却機器７（冷凍庫４、冷蔵庫５、水熱源ヒートポンプ６）は、年間を通して排熱側熱交換器が常に凝縮器として作用する冷却モードであり、冷却機器７に送る熱媒水は、冷却機器７の凝縮器の冷却に使用する。上記したように、ヘッダ１０で混合された後の熱媒水の温度は例えば２７℃になるが、水熱源ヒートポンプ１の低負荷時、つまり春秋等の中間期その他外気温が低温になっていない場合や、部屋での仕事の残業に伴う運転等の使用状況が疎であるなどの場合に、混合後の熱媒水の温度を冷却機器７の凝縮器の冷却に使用するのに適する温度に低下できないことがある。
【００２５】
そこで、冷却機器７の凝縮器の冷却に使用できる熱媒水の温度として例えば２５℃の上限値を設定し、混合後の熱媒水の温度が温度センサ１６で測定して２５℃未満のときは、そのまま冷却機器７の凝縮器の冷却に使用できるので、厨房配管系９の流量制御弁１６を閉じ、バイパス弁１４を全開にして、往路９ａの混合後の熱媒水の全量を冷却塔８を経由させずにバイパス路１２を通って復路９ｂに循環し、冷却機器７の凝縮器に戻して冷却させる。
【００２６】
混合後の熱媒水の温度が２５℃以上を測定したときは、そのままでは冷却機器７の凝縮器の冷却に適せず温度を下げる必要があるので、使用流量制御弁１６、バイパス弁１４を共に半開にして、往路９ａの混合後の厨房系統の熱媒水の一部を冷却塔８を経由し冷却して復路９ｂに戻し、混合後の熱媒水の残りは冷却させずにバイパス路１２を通って復路９ｂに循環し、この両者を冷却機器７の凝縮器に戻して冷却に使用する。その際、混合後の熱媒水の温度が高いほど冷却の必要が大きくなるので、バイパス弁１４の開度を小さく、流量制御弁１６の開度を大きくして、冷却塔８を経由させる熱媒水量を多くする。
【００２７】
なお、厨房系統Ｂの冷却機器７は、熱媒水の流量を一定とした定流量運転をする。そのために、厨房配管系９を所定流量に見合う径の管で設備し、試験運転時に流量調整弁１６の開度を定めておいて、バイパス弁１４の開度制御により、冷却機器７の凝縮器に入れるのに好適な温度、例えば３２℃に熱媒水が冷却されるよう、熱媒水の冷却塔８への送り量を調節する。
【００２８】
空調系統Ａが冷房モードの場合について述べると、空調系統Ａの水熱源ヒートポンプ１に送る熱媒水は、ヒートポンプ１の凝縮器の冷却に使用するので、ヘッダ１０で混合後の往路３ａの熱媒水の全量を冷却塔２を経由して冷却してから、ヒートポンプ１に戻す。厨房系統Ｂの冷却機器７（冷凍庫４、冷蔵庫５、水熱源ヒートポンプ６）に送る熱媒水は、常に凝縮器の冷却に使用するので、ヘッダ１０で混合後の往路９ａの熱媒水の全量を冷却塔８を経由して冷却してから、冷却機器７の凝縮器に戻す。
【００２９】
以上のように、本実施例の空調設備によれば、部屋の空調用の水熱源ヒートポンプ１による暖房時、厨房の冷凍庫等の冷却機器７の凝縮器の排熱を回収するのに、水対水熱交換器を使用せずに、ヒートポンプ１の蒸発器から出た熱媒水と冷却機器７の凝縮器を出た熱媒水とをヘッダ１０で混合して回収するので、冷却機器７の凝縮器の排熱を混合後の熱媒水に効率よく回収することができ、混合後の熱媒水をヒートポンプ１の蒸発器に戻して加熱に使用することができる。したがって、暖房時のヒートポンプ１の蒸発器の加熱源を省略することができ、また冷却機器７の凝縮器の排熱の回収に水対水熱交換器を使用しないので、排熱回収のための設備費も安価になる。
【００３０】
なお、厨房に設置する空調用水熱源ヒートポンプであるが、厨房内の火気使用状況により、排出する温熱が一定でない場合がある。さらには運転を休止することもある。この場合には、上述の厨房系統Ｂから独立させてもよい。
【００３１】
本発明の他の実施例について説明する。上記の実施例では、厨房系統Ｂの冷凍庫４、冷蔵庫５、水熱源ヒートポンプ６といった冷却機器は水冷式であったが、これらが空冷式であっても、本発明を適用することができる。
【００３２】
すなわち、本実施例では、図２に示すように、空冷式の冷凍庫、冷蔵庫および空気熱源ヒートポンプの排熱側熱交換器（図示はセパレート式の場合の室外機）４Ａ、５Ａ、６Ａを並べて配置し、排熱側熱交換器４Ａ、５Ａ、６Ａの背面にある凝縮器（金属コイル）４ａ、５ａ、６ａ（室外機がセパレート式の場合は、並べて配置した室外機の凝縮器）の送風ファン２３による温排気出口に複数本のヒートパイプ２４を、出口を覆う図示しない網板の外側位置で配置し、そのヒートパイプ２４の一端に、熱媒水が循環する外断熱された鋼製ジャケット２５を嵌装して、ヒートパイプ熱交換器２６を形成する。そしてジャケット２５内に前記の図１の閉回路の厨房配管系９の往路９ａと復路９ｂを構成する配管の端部を挿入する。これにより、ジャケット２５と、該ジャケット２５に連通する厨房配管系９と、ヘッダ１０と、循環ポンプＰ２と、配管系９の配管に付属する弁類を接続して厨房系統Ｂを形成する（但し、ヘッダ１０とヘッダ廻りの弁２１、２２は空調系統Ａと共用）。したがって、図１では、配管が冷却機器７に接続されているが、本実施例では、配管はジャケット２５に連通し、冷却機器７は空冷式のため、室外機それ自体には配管は接続されない。なお、空冷岸の冷却機器がセパレート式でなく一体式であっても、排熱側熱交換器としての凝縮器の排気口に沿ってヒートパイプを設置すれば、同じ効果を得ることができる。
【００３３】
そして、空調系統Ａの水熱源ヒートポンプ１による冷房時、厨房系統Ｂの熱媒水の温熱はヒートポンプ１の凝縮器の熱源に利用しないので、ジャケット２５を厨房配管系９に回動自在に取付けて、ヒートパイプ熱交換器２６の全体を回動することによって凝縮器４ａ、５ａ、６ａの温排気出口から取り外せるように設置する。あるいは、温排気の排出方向を変え、ヒートパイプへの熱の授受をなくす。厨房系統Ｂの冷却機器７の凝縮器の冷却は、送風ファン２３による空冷によって行い、厨房配管系９の熱媒水は循環を停止する。
【００３４】
本実施例の空調設備の運転方法について述べると、水熱源ヒートポンプ１による部屋の暖房時は、空調系統Ａでは、ヘッダ１０を経た空調配管系３の往路３ａの混合後の熱媒水の全量をバイパス路１１を通って復路３ｂに循環し（冷却塔２は休止）、ヒートポンプ１の蒸発器に戻して加熱に使用する。厨房系統Ｂでは、冷却機器７の温熱を取得したジャケット２５中の熱媒水をヘッダ１０に送り出す。ヘッダ１０を経た厨房配管系９の混合後の熱媒水は、ジャケット２５内に循環させる。
【００３５】
水熱源ヒートポンプ１による部屋の冷房時は、厨房配管系９の熱媒水の循環を停止し、弁切換により配管系９は空調配管系３との接続を断って、ヘッダ１０による配管系９の往路９ａへの熱媒水の分流をなくし、空調配管系３の熱媒水のみを循環する。そして空調配管系３の熱媒水の全量を冷却塔２を経由してから、ヒートポンプ１の凝縮器に戻し冷却に使用する。厨房系統Ｂの冷却機器７の凝縮器の冷却は、送風ファン２３による空気の吹き付けで行う。
【００３６】
本実施例でも、前の実施例と同様、水熱源ヒートポンプ１による部屋の暖房時、厨房の冷却機器７の凝縮器の排熱をヘッダ１０の混合後の熱媒水に効率よく回収して、ヒートポンプ１の蒸発器の加熱に使用することができ、暖房時のヒートポンプ１の蒸発器の加熱源を省略できるとともに、排熱回収のための設備費も安価になる。
【図面の簡単な説明】
【００３７】
【図１】本発明の空調設備の一実施例を示す空調システム図である。
【図２】本発明の他の実施例における厨房系統の空冷式の冷却機器の凝縮器に使用するヒートパイプ熱交換器を示す斜視図である。
【符号の説明】
【００３８】
１  水熱源ヒートポンプ                ２、８  冷却塔
３  空調配管系                        ３ａ、９ａ  往路
３ｂ、９ｂ  復路                      ４  冷凍庫
５  冷蔵庫                            ６  水熱源ヒートポンプ
７  冷却機器                          １０  ヘッダ
１１、１２  バイパス路                １３、１４  バイパス弁
１５、１６  流量調整弁                １７、１８  温度センサ
４Ａ〜６Ａ  排熱側熱交換器            ４ａ〜５ａ  凝縮器（コイル）
２３  送風ファン                      ２４  ヒートパイプ
２５  ジャケット                      ２６  ヒートパイプ熱交換器
Ａ  空調系統                          Ｂ  厨房系統
【図１】
2006084084.tif 000003
【図２】
2006084084.tif 000004